(57)【要約】【課題】補正処理時間を短くすることで、ユーザの待ち時間を短縮させる画像処理装置を提供する。【解決手段】本実施形態の画像処理装置は、画像形成部と、画像制御部と、センサと、補正部とを有する。画像形成部は、像を形成する。画像制御部は、劣化したトナーが高濃度で出力される動作であるトナーリフレッシュを行うように画像形成部を制御し、且つ、所定のパターンが形成されるように画像形成部を制御する。センサは、画像形成部によって形成される像の濃度値を測定する。補正部は、センサによって測定される値であって、トナーリフレッシュのときに形成される像に対しての測定値を用いて、画像形成部の高濃度についてのトナー濃度を補正し、センサによって測定される値であって、所定のパターンに対しての測定値を用いて、画像形成部の少なくとも低濃度についてのトナー濃度を補正する。【選択図】図３
2011221531.tif 000002
【特許請求の範囲】
【請求項１】
像を形成する画像形成部と、
劣化したトナーが高濃度で出力される動作であるトナーリフレッシュを行うように前記画像形成部を制御し、且つ、所定のパターンが形成されるように前記画像形成部を制御する画像制御部と、
前記画像形成部によって形成される像の濃度値を測定するセンサと、
前記センサによって測定される値であって、トナーリフレッシュのときに形成される像に対しての測定値を用いて、前記画像形成部の高濃度についてのトナー濃度を補正し、前記センサによって測定される値であって、前記所定のパターンに対しての測定値を用いて、前記画像形成部の少なくとも低濃度についてのトナー濃度を補正する補正部と、
を有する画像処理装置。
【請求項２】
請求項１に記載の画像処理装置において、
前記画像制御部は、前記トナーリフレッシュの制御と、前記所定のパターンが形成される制御とが同時期に行われる場合、前記補正部によるトナーリフレッシュでのトナー濃度の補正の後に、続けて前記所定のパターンが形成されるように前記画像形成部を制御することを特徴とする画像処理装置。
【請求項３】
請求項１に記載の画像処理装置において、
前記画像制御部は、トナーリフレッシュとして、前記画像形成部が出力する色のうち、一部の色のトナーが高濃度で出力されるように前記画像形成部を制御し、
前記補正部は、前記一部の色の高濃度についての補正を、トナーリフレッシュのときに形成される像の測定値に基づき行い、その他の色の高濃度についての補正を、前記所定のパターンの測定値に基づき行うことを特徴とする画像処理装置。
【請求項４】
請求項１に記載の画像処理装置において、
前記画像形成部は、トナーリフレッシュとして、劣化したトナーを各色高濃度で複数回繰り返し出力することを特徴とする画像処理装置。
【請求項５】
像を形成する画像形成部を有する画像処理装置の濃度補正方法であって、
画像処理装置が、
劣化したトナーが高濃度で出力されるトナーリフレッシュを行うように前記画像形成部を制御し、
トナーリフレッシュのときに形成される像の濃度値をセンサで測定し、該測定値を用いて、前記画像形成部の高濃度についてのトナー濃度を補正し、
所定のパターンが形成されるように前記画像形成部を制御し、
前記所定のパターンの濃度値を前記センサで測定し、該測定値を用いて、前記画像形成部の少なくとも低濃度についてのトナー濃度を補正する
濃度補正方法。
【請求項６】
請求項５に記載の濃度補正方法において、
前記画像処理装置は、
トナーリフレッシュとして、前記画像形成部が出力する色のうち、一部の色のトナーが高濃度で出力されるように前記画像形成部を制御し、
前記一部の色の高濃度についての補正を、トナーリフレッシュのときに形成される像の測定値に基づき行い、その他の色の高濃度についての補正を、前記所定のパターンの測定値に基づき行うことを特徴とする濃度補正方法。
【請求項７】
請求項５に記載の濃度補正方法において、
前記画像処理装置は、さらに、トナーリフレッシュでのトナー濃度の補正で、高濃度のトナー濃度が適正か否かを判定し、適正でない色がある場合、該色の補正を、前記所定のパターンの測定値に基づき行うことを特徴とする濃度補正方法。
【請求項８】
請求項５に記載の濃度補正方法において、
前記画像形成部は、トナーリフレッシュとして、劣化したトナーを各色高濃度で複数回繰り返し出力することを特徴とする濃度補正方法。
【請求項９】
請求項５に記載の濃度補正方法において、
前記画像処理装置は、各色高濃度、低濃度で構成されるパターンが前記所定のパターンとして形成されるように前記画像形成部を制御し、且つ、該所定のパターンが複数回繰り返し形成されるように前記画像形成部を制御し、
前記所定のパターンの測定値に基づき、前記画像形成部の高濃度についてのトナー濃度、および低濃度についてのトナー濃度を、それぞれ複数回繰り返し補正することを特徴とする濃度補正方法。
【請求項１０】
像を形成する画像形成部と、
劣化したトナーが高濃度で出力されるように前記画像形成部を制御する画像制御部と、
前記画像形成部によって形成される像の濃度値を測定するセンサと、
前記センサによって測定される値であって、劣化したトナーが高濃度で出力されるときに形成される像に対しての測定値を用いて、前記画像形成部の高濃度についてのトナー濃度を補正する補正部と、
を有する画像処理装置。
【発明の詳細な説明】
【技術分野】
【０００１】
この明細書に記載の実施形態は、画像処理装置の画像を安定化させる技術に関する。
【背景技術】
【０００２】
画像処理装置の画像を安定させるための従来技術として、経時によって劣化したトナーを吐き出し（トナーリフレッシュ）、新しいトナーを補給することによって現像条件を良好に保つ技術がある。これは、画像処理装置が転写ベルトに対し、主走査方向の像形成可能な範囲の全面に高濃度の帯状パターンを各色形成し、劣化したトナーを吐き出す技術である（以降、この制御を制御Ａと称する）。
【０００３】
また、画像処理装置の画像を安定させるための技術として、トナー濃度（形成される像の色濃度）を補正する技術がある。これは、画像処理装置が転写ベルト上に高濃度、低濃度（ハーフトーン）それぞれの特定のパターンを各色形成し、その時に付着したトナーの濃度をセンサで読み取り、その結果を画像形成の制御部にフィードバックすることで、トナー濃度が補正される技術である（以降、この制御を制御Ｂと称する）。
【０００４】
関連のある文献として、以下の技術が開示されている。
【先行技術文献】
【特許文献】
【０００５】
【特許文献１】特開２００９−１８６５６８号公報
【特許文献２】特開２００４−０６９８０３号公報
【発明の概要】
【発明が解決しようとする課題】
【０００６】
上述の制御Ａ、制御Ｂの処理は時間がかかり、またこれらの制御が行われているときは、ユーザの印刷ジョブが実行されないため、ユーザは待たされる。
【０００７】
本実施形態は上述した問題点を解決するためになされたものであり、補正処理時間を短くすることができ、ユーザの待ち時間を短縮することができる技術を提供することを目的とする。
【課題を解決するための手段】
【０００８】
画像処理装置は、画像形成部と、画像制御部と、センサと、補正部とを有する。画像形成部は、像を形成する。画像制御部は、劣化したトナーが高濃度で出力される動作であるトナーリフレッシュを行うように画像形成部を制御し、且つ、所定のパターンが形成されるように画像形成部を制御する。センサは、画像形成部によって形成される像の濃度値を測定する。補正部は、センサによって測定される値であって、トナーリフレッシュのときに形成される像に対しての測定値を用いて、画像形成部の高濃度についてのトナー濃度を補正し、センサによって測定される値であって、所定のパターンに対しての測定値を用いて、画像形成部の少なくとも低濃度についてのトナー濃度を補正する。
【図面の簡単な説明】
【０００９】
【図１】画像処理装置の構成を示す断面図である。
【図２】トナー付着量センサの構成を示す図である。
【図３】実施形態の画像処理装置のブロック図である。
【図４】図４（Ａ）は、制御Ａが実行されるときのパターンを示す図であり、図４（Ｂ）は、制御Ｂが実行されるときのパターンを示す図である。
【図５】画像処理装置が制御Ａ、制御Ｂを個別に行うときの動作の一例を示すフローチャートである。
【図６】実施形態の画像処理装置の動作の一例を示すフローチャートである。
【図７】図７（Ａ）は、制御Ｂにおいて、低濃度パターンのみが形成される例を示す図であり、図７（Ｂ）は、制御Ａで高濃度の目標値に到達したパターンが制御Ｂのパターンでは形成されない例を示す図である。
【図８】制御Ａで高濃度の目標値に到達したかの判定が行われる場合の一例を示すフローチャートである。
【発明を実施するための形態】
【００１０】
本実施形態の画像処理装置は、上述の制御Ａと制御Ｂを連続して実行する必要がある場合には、制御Ａを先に行い、制御Ａで形成される帯状の高濃度パターンを、トナー濃度を測定するセンサで読み取り、高濃度についての濃度補正を実施する。
【００１１】
これにより、制御Ｂでは高濃度についての補正処理時間を短くすることができ、ユーザの待ち時間を短縮することができる。
【００１２】
以下、本実施形態について図面を参照しつつ説明する。
【００１３】
図１は、本実施形態における画像処理装置（ＭＦＰ:Multi Function Peripheral）の概略構成を示す縦断面図である。
【００１４】
図１に示すように、画像処理装置１００は、画像読取部Ｒと、画像形成部Ｐとを備えている。
【００１５】
画像読取部Ｒは、シート原稿およびブック原稿の画像をスキャンして読み取る機能を有している。
【００１６】
画像形成部Ｐは、画像読取部Ｒにて原稿から読み取られた画像や外部機器から画像処理装置に送信された画像データ等に基づいて、シートに現像剤像を形成する機能を有している。
【００１７】
画像読取部Ｒは、原稿を所定の画像読取位置まで自動搬送可能な自動原稿搬送装置（ＡＤＦ：Auto Document Feeder）９を備えており、この自動原稿搬送装置９によって自動搬送される原稿トレイＲｔに載置された原稿や、不図示の原稿台に載置される原稿の画像を、走査光学系１０によって読み取る。
【００１８】
また、画像形成部Ｐは、ピックアップローラ５１〜５４、感光体２Ｙ〜２Ｋ、現像ローラ３Ｙ〜３Ｋ、ミキサ４Ｙ〜４Ｋ、中間転写ベルト１１、定着装置７および排出トレイ８を備えている。
【００１９】
また、画像処理装置１００は、演算処理装置（たとえばＣＰＵ（Central Processing Unit））であるプロセッサ８０１、記憶装置であるメモリ８０２、およびＨＤＤ（Hard disk drive）８０３、ＡＳＩＣ（Application Specific Integrated Circuit）８０４を備えている。プロセッサ８０１は、画像処理装置における各種処理を行う役割を有しており、またメモリ８０２に格納されているプログラムを実行することにより種々の機能を実現する役割も有している。メモリ８０２は、例えば、ＲＡＭ（Random Access Memory）、ＲＯＭ（Read Only Memory）、ＤＲＡＭ（Dynamic Random Access Memory）、ＳＲＡＭ（Static Random Access Memory）、ＶＲＡＭ（Video RAM）等から構成されることができ、画像処理装置１００において利用される種々の情報やプログラムを格納する役割を有している。
ＨＤＤ８０３は、不揮発性に記憶させておく必要のあるデータやプログラムを記憶する。
【００２０】
ＡＳＩＣ８０４は、図３に示す各機能を実現するためのユニットである。また、プロセッサ８０１、メモリ８０２、ＨＤＤ８０３を用いて実現される機能は、ＡＳＩＣ８０４による実装で実現されてもよい。
【００２１】
以下、画像処理装置１００の処理の一例として、コピー処理の概要について説明する。
まず、ピックアップローラ５１〜５４によりカセットからピックアップされたシートは、シート搬送路内に供給される。シート搬送路内に供給されたシートは、複数のローラ対によって所定の搬送方向へ向けて搬送される。
【００２２】
そして、自動原稿搬送装置９によって連続的に自動搬送される複数枚のシート原稿の画像が、所定の画像読取位置にて走査光学系１０によって読み取られる。
【００２３】
次に、画像読取部Ｒにて原稿から読み取られた画像の画像データに基づいて、イエロー（Ｙ）、マゼンタ（Ｍ）、シアン（Ｃ）およびブラック（Ｋ）の現像剤像をシートに転写するための感光体２Ｙ、２Ｍ、２Ｃおよび２Ｋの感光面上に静電潜像が形成される。
【００２４】
続いて、現像器におけるミキサ４Ｙ〜４Ｋにより攪拌された現像剤が、現像ローラ（いわゆる、マグローラ）３Ｙ〜３Ｋによって、上記のようにして静電潜像が形成された感光体２Ｙ〜２Ｋに供給される。これにより、感光体の感光面上に形成された静電潜像が顕像化される。
【００２５】
このようにして感光体上に形成された現像剤像は、中間転写ベルト１１のベルト面上に転写され（いわゆる、一次転写）、中間転写ベルトの回転によって搬送される現像剤像は、所定の二次転写位置Ｔにて、搬送されるシート上に転写される。
【００２６】
シート上に転写された現像剤像は、定着装置７にてシートに対して加熱定着される。
現像剤象が加熱定着されたシートは、複数の搬送ローラ対によって搬送路内を搬送され、排出トレイ８上に順次排出される。
【００２７】
画像処理装置１００は、定期的に、また印刷した枚数に応じて、または長時間使用されていない等の条件に基づき、中間転写ベルト１１に劣化したトナーを出力する。また画像処理装置１００は、濃度測定用パターンを中間転写ベルト１１に定期的に出力し、出力されるトナーの濃度を補正する。このように出力される中間転写ベルト１１上のトナーは、ブレードによって中間転写ベルト１１から剥ぎ取られ、搬送路６１を経由して廃トナーボックス６２に破棄される。
【００２８】
また画像処理装置１００は、トナー付着量センサＳ１を備える。トナー付着量センサＳ１は、中間転写ベルト１１上に形成される像の濃度を測定する光学式センサであり、中間転写ベルト１１の搬送面に対し照射して、形成されている像の色の濃度を測定する。
図２に、トナー付着量センサＳ１の構成例を示す。トナー付着量センサＳ１は、発光素子Ｓ１１、受光素子Ｓ１２を有する。発光素子Ｓ１１は、ＡＳＩＣ８０４から出力される光源光量電圧で発光し、中間転写ベルト１１上のパターンを照射する。受光素子Ｓ１２は、トナー像からの反射光を受光し、電気信号（反射光量電圧）をＡＳＩＣ８０４に出力する。ＡＳＩＣ８０４とトナー付着量センサＳ１との間では、Ａ／Ｄ変換、Ｄ／Ａ変換が行われる。
【００２９】
次に、画像処理装置１００の機能ブロックの一例を図３に示す。画像処理装置１００は、上述の画像形成部Ｐ、トナー付着量センサＳ１に加え、コマンド生成部２１、画像制御部２２、補正部２３を有する。本実施形態では、これら各ユニットは、ＡＳＩＣ８０４によって実現されるとして説明するが、プロセッサ８０１がＨＤＤ８０３に予め記憶されているプログラムをメモリ８０２にロードし、ロードされたプログラムを演算実行することで実現されてもよい。
【００３０】
コマンド生成部２１は、定期的に、または所定条件が満たされるときに、画像処理装置１００に処理実行を指示する。本実施形態では、特に、制御Ａの実行指示や、制御Ｂの実行指示を行う。
【００３１】
画像制御部２２は、コマンド生成部２１からの実行指示に応じて、印刷ジョブから像を取得し、また予め定義されているパターン像を取得し、取得した像が形成されるように画像形成部Ｐを制御する。本実施形態では、画像制御部２２は、画像形成部Ｐに対し制御Ａ用のパターンや制御Ｂ用のパターンを取得し、これらのパターンが中間転写ベルト１１に転写（形成）されるように画像形成部Ｐを制御する。
【００３２】
トナー付着量センサＳ１は、中間転写ベルト１１上に形成された制御Ａ用のパターン（以下、パターンＡ）、制御Ｂ用のパターン（以下、パターンＢ）を照射し、濃度値を測定する。
【００３３】
補正部２３は、パターンＡに対してトナー付着センサＳ１によって測定される濃度値を用いて、高濃度についての補正処理を行う。補正部２３は、パターンＢに対してトナー付着センサＳ１によって測定される濃度値を用いて、高濃度、低濃度についての補正処理を行う。尚、高濃度（低濃度）は、設計上、トナー付着センサＳ１による測定値が高濃度用の目標値（低濃度目標値）となる濃度をいう。また濃度の補正とは、目標値を含む範囲の濃度を補正することである。
【００３４】
次に、画像制御部２２の制御によって形成されるパターンＡを図４Ａに示す。画像制御部２２は、コマンド生成部２１の指示のもと、画像形成部Ｐが図４Ａに示すパターンを中間転写ベルト１１に形成するように制御する。画像制御部２２は、Ｙ、Ｍ、Ｃ、Ｋそれぞれの色の像が、主走査方向で形成可能な範囲の全面に高濃度に形成されるように制御する。図４Ａのパターンが複数回形成されることで、劣化したトナーが吐き出される。
また、パターンＢを図４Ｂに示す。画像制御部２２は、Ｙ、Ｍ、Ｃ、Ｋそれぞれの高濃度、低濃度の像が中間転写ベルト１１の主走査方向中心に形成されるように画像形成部Ｐを制御する。尚、図４Ａ、図４Ｂの一点鎖線は、トナー付着量センサＳ１の照射ラインである。
【００３５】
次に、画像処理装置１００の制御Ａ、および制御Ｂを行うときの動作について説明する。図５は、従来の技術と同様に、制御Ａ、制御Ｂがそれぞれ独立（非同期）で実行される例について示している。
【００３６】
制御Ａについて説明する。まず、中間転写ベルト１１、感光体２Ｙ〜２Ｋが駆動する（ＡＣＴ１）。コマンド生成部２１の実行指示のもと、画像制御部２２は、パターンＡ（図４Ａ参照）が形成されるように画像生成部Ｐを制御し、画像生成部Ｐは、パターンＡを中間転写ベルト１１に形成する（ＡＣＴ２）。この動作がＮ回繰り返し実行される（ＡＣＴ３、ＮｏからＡＣＴ２へのループ）。Ｎ回実施された場合（ＡＣＴ３、Ｙｅｓ）、中間転写ベルト１１、感光体２Ｙ〜２Ｋの駆動が停止して（ＡＣＴ４）、処理は終了する。
コマンド生成部２１は、例えば定期的にＡＣＴ１〜ＡＣＴ４の処理が実行されるように実行指示を画像制御部２２に出力する。
【００３７】
次に制御Ｂについて説明する。中間転写ベルト１１、感光体２Ｙ〜２Ｋが駆動し（ＡＣＴ５）、コマンド生成部２１からの指示のもと、画像制御部２２は、パターンＢ（図４Ｂ参照）が形成されるように画像形成部Ｐを制御し、画像生成部ＰはパターンＢを中間転写ベルト１１に形成する（ＡＣＴ６）。
【００３８】
トナー付着量センサＳ１は、パターンＢから濃度値（各色の低濃度値、高濃度値）を測定する（ＡＣＴ７）。
【００３９】
補正部２３は、ＡＳＩＣ８０４の記憶領域に予め記憶されている各色の目標値を取得し、高濃度の濃度値が目標値に到達したかを色ごとに判定する（ＡＣＴ８）。全ての色が目標値に達している場合（ＡＣＴ８、Ｙｅｓ）、処理はＡＣＴ１１に進み、目標値に達していない色がある場合（ＡＣＴ８、Ｎｏ）、補正部２３は、高濃度についての補正処理がＭ回実行されたかを判定する（ＡＣＴ９）。
【００４０】
高濃度についての補正処理がＭ回実行されている場合（ＡＣＴ９、Ｙｅｓ）、処理はＡＣＴ１１に進み、補正処理がＭ回実行されていない場合（ＡＣＴ９、Ｎｏ）、補正部２３は、高濃度についての補正処理を行い（ＡＣＴ１０）、処理はＡＣＴ６に戻る。この補正処理は従前の技術が用いられる。
【００４１】
次に補正部２３は、トナー付着量センサＳ１が測定した低濃度値についての処理を行う。低濃度値が目標値に到達していない色がある場合（ＡＣＴ１１、Ｎｏ）、補正部２３は、低濃度についての補正処理がＬ回実施されたかを判定する（ＡＣＴ１２）。Ｌ回実施されてない場合（ＡＣＴ１２、Ｎｏ）、補正部２３は、低濃度についての補正処理を実行し（ＡＣＴ１３）、処理はＡＣＴ６に戻る。一方、全ての色の低濃度値が目標値に到達している場合（ＡＣＴ１１、Ｙｅｓ）、もしくは低濃度についての補正処理がＬ回実施された場合（ＡＣＴ１２、Ｙｅｓ）、中間転写ベルト１１、感光体２Ｙ〜２Ｋの駆動が停止し（ＡＣＴ１４）、処理は終了する。
【００４２】
次に、制御Ａ、制御Ｂが同時期に行われるときの画像処理装置１００の動作について図６に示す。図５の例で示すように制御Ａ、制御Ｂがそれぞれ独立して実施されるとする従来例では、パターンＢと同じくパターンＡにも高濃度パターンが含まれていながら、それが活用されることはなかった。画像処理装置１００は、同時期に行われる場合、制御Ａで出力されるパターンＡを濃度補正処理に流用する。
【００４３】
画像処理装置１００は、制御Ａ、制御Ｂの実施時間が重なる場合、制御Ａを先に実施し、その後制御Ｂを実施する。この実施順の制御はコマンド生成部２１または画像制御部２２が制御する。尚、図５と同一符号は上述と同様の処理であるため、ここでの説明は割愛する。
【００４４】
制御Ａにおいて、パターンＡが形成された後（ＡＣＴ２）、トナー付着量センサＳ１は、パターンＡに対して濃度測定を行い（ＡＣＴ２１）、補正部２３は、高濃度についての補正処理を行う（ＡＣＴ２２）。ここでの処理は、ＡＣＴ１０と同様の処理となる。
パターンＡについての処理がＮ回行われた場合（ＡＣＴ３、Ｙｅｓ）、処理は制御Ｂに移行する。制御Ｂにおいて、ＡＣＴ６〜ＡＣＴ８が実施された後、補正部２３は、高濃度補正処理がＭ’回行われたかを判定する（ＡＣＴ９Ａ）。制御Ａでも高濃度補正についての処理が行われるため、Ｍ’は、上述で説明したＭ回よりも少ない数となる（Ｍ’＜Ｍ）。以降の動作は図５と同様である。
【００４５】
このように同時期に処理Ａ、処理Ｂが行われるときは、制御Ａのときに補正部２３によって高濃度の濃度補正が行われる。よって、制御Ｂのときは、高濃度については少ない実行回数で済むため、濃度補正の精度を担保しつつ、短時間で行うことができる。また、パターンＢの形成回数も少なくなるため、トナーの消費量も抑えられる。
【００４６】
図６で説明した動作の別の例について説明する。図６の動作例のように、制御Ａで高濃度の補正処理が既に行われるため（ＡＣＴ２２）、制御Ｂでの高濃度の補正処理は、冗長な処理となる場合がある。よって、制御Ａと制御Ｂとが同時期に行われる場合、制御Ｂでは高濃度の補正処理を行わないとする実装も考えられる。図７Ａは、この場合の制御Ｂでの像形成パターンを示す図である。高濃度の印字が不要となるため、その分トナーの消費を抑えることができ、また補正処理についての処理も短時間となる（少なくとも図６のＡＣＴ８〜ＡＣＴ１０の処理は実施せずに済む）。
【００４７】
また別の例として、制御Ａで目標値に到達していない色のみ、制御Ｂで高濃度の補正処理を行う実装も考えられる。図７Ｂは、この場合の制御Ｂでの像形成パターンを示す図である。図７Ｂは、Ｃ、Ｙが制御Ａで良好な結果となり、Ｋ、Ｍが制御Ｂで再度補正が必要な例である。
【００４８】
図８に、制御Ａで目標値に到達していない色のみ制御Ｂで高濃度の補正処理を行う場合の画像処理装置１００の動作例を示す。尚、図６と同一符号は上述同様の処理であるため、説明を割愛する。パターンＡに対しての濃度測定が行われた後（ＡＣＴ２１）、補正部２３は、測定値が目標値に達しているかを判定する（ＡＣＴ３１）。測定値が目標値に達していない場合（ＡＣＴ３１、Ｎｏ）、補正部２３は、目標値に達していない色の識別情報をＡＳＩＣ８０４の記憶領域に記憶させ（ＡＣＴ３２）、高濃度についての補正処理を行う（ＡＣＴ２２）。一方、測定値が目標値に達している場合（ＡＣＴ３１、Ｙｅｓ）、処理はＡＣＴ３に移行する。
【００４９】
また、制御Ｂにおいて、画像制御部２２、補正部２３は、記憶されている識別情報を取得する（ＡＣＴ３３）。画像制御部２２は、高濃度のトナー出力については識別情報に対応する色のみが出力されるように画像形成部Ｐを制御する（ＡＣＴ６Ａ）。以降の処理は図６と同様となるが、補正部２３は、高濃度については識別情報に対応する色のみを補正の対象とする。
【００５０】
また、上述の各例では、高濃度の補正処理は毎回（Ｎ回）実施されるとしているが、制御Ａの開始初期のうちは、劣化したトナーが多量に含まれている場合もあり、濃度補正の処理に適さない場合がある。よって、濃度補正処理は後半の回に行うとする実装や、最後の１回に濃度補正処理を行う実装も考えられる。
【００５１】
また、制御Ａが、Ｙ、Ｍ、Ｃ、Ｋの全ての劣化トナーが吐き出される制御ではなく、一部の色のみが吐き出される制御である場合、制御Ａではこの一部の色のみ高濃度補正処理を行い、制御Ｂでは、制御Ａで高濃度補正処理が行われた色については高濃度補正処理の回数を減らす（または行わない）とする実装も考えられる。
また、上述の例では、制御Ａ、制御Ｂが同時期に行われる場合に限り制御Ａで高濃度補正処理を行うとしたが、態様を限定するものではない。
【００５２】
以上に詳述したように、この明細書に記載の技術によれば、劣化トナーの排出時に高濃度についての補正処理が行われるため、制御の実行時間を短くすることができ、ユーザの待ち時間を短縮することができる。
【００５３】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００５４】
２１  コマンド生成部、２２  画像制御部、２３  補正部、Ｐ  画像形成部、Ｓ１  トナー付着量センサ、１００  画像処理装置。
【図１】
2011221531.tif 000003
【図２】
2011221531.tif 000004
【図３】
2011221531.tif 000005
【図４】
2011221531.tif 000006
【図５】
2011221531.tif 000007
【図６】
2011221531.tif 000008
【図７】
2011221531.tif 000009
【図８】
2011221531.tif 000010